(57)【要約】【課題】折り畳みが可能で、ゲームの途中で中断しても、また中断した状態からゲームを再開できるゲーム盤、およびゲームセットを提供すること。【解決手段】布製の台紙の面に、線で構成されるゲーム盤を付し、さらに前記ゲーム盤の線で構成される各マス目または線と線の交点に連結手段を設けた布製のゲーム盤、並びに布製の台紙の面に、線で構成されるゲーム盤を付し、さらに前記ゲーム盤の線で構成される各マス目、または線と線の交点に連結手段を設けた布製のゲーム盤と、少なくとも片側に連結手段を設けた駒とから構成されるゲームセット。【選択図】図１
2019013629.tif 000002
【特許請求の範囲】
【請求項１】
布製の台紙の面に、線で構成されるゲーム盤を付し、さらに前記ゲーム盤の線で構成される各マス目、または線と線の交点に連結手段を設けた布製のゲーム盤。
【請求項２】
前記連結手段が、面ファスナーまたはホックである請求項１に記載のゲーム盤。
【請求項３】
前記ゲーム盤の線で構成される各マス目に連結手段を設けた請求項１または２に記載のゲーム盤。
【請求項４】
将棋、チェス、またはオセロのゲーム盤である請求項１〜３のいずれか一項に記載のゲーム盤。
【請求項５】
前記ゲーム盤の線と線の交点に連結手段を設けた請求項１または２に記載のゲーム盤。
【請求項６】
囲碁、五目ならべ、またはダイヤモンドゲームのゲーム盤である請求項１、２または５に記載のゲーム盤。
【請求項７】
布製の台紙の面に、線で構成されるゲーム盤を付し、さらに前記ゲーム盤の線で構成される各マス目、または線と線の交点に連結手段を設けた布製のゲーム盤と、少なくとも片側に連結手段を設けた駒とから構成されるゲームセット。
【発明の詳細な説明】
【技術分野】
【０００１】
本発明は、布製のゲーム盤、およびゲームセットに関する。詳しくは、本発明は布製のゲーム盤に、ゲームの駒と連結可能な連結手段を備えるゲーム盤、およびゲームセットに関する。
【背景技術】
【０００２】
ゲーム盤に駒を並べて遊ぶ将棋やチェスなどの盤ゲームは、子供からお年寄りまで広い世代に、時代や国を超えて親しまれている。これら盤ゲームは、木製、樹脂製、金属製、あるいは厚紙製等の剛性のある盤が用いられている。また、磁石により駒を盤にゆるく固定するゲーム盤も知られている。
【０００３】
布を用いた将棋盤として、特許文献１には、将棋の駒を収納できる駒袋兼駒置き台と、それを包んで携帯できる折りたたみ式基盤からなる携帯用将棋セットが記載されている。また、特許文献２には、巾着型にして、中に駒などを入れ腰に掛けられるようにして運びやすくした丸い布盤が記載されている。
【０００４】
駒を固定するゲーム盤として、特許文献３には、ゲーム盤が印刷された団扇と、粘着や吸着するスポンジの駒または石からなるゲーム用具が記載されている。
【先行技術文献】
【特許文献】
【０００５】
【特許文献１】特開２０１３−０００５４７号公報
【特許文献２】特許５７１５２０５号公報
【特許文献３】特開２０１２−１９２０５６号公報
【発明の概要】
【発明が解決しようとする課題】
【０００６】
本発明は、折り畳みが可能で、ゲームの途中で中断しても、また中断した状態からゲームを再開できるゲーム盤、およびゲームセットを提供することを目的とする。
【課題を解決するための手段】
【０００７】
すなわち本発明は、布製の台紙の面に、線で構成されるゲーム盤を付し、さらに前記ゲーム盤の線で構成される各マス目または線と線の交点に連結手段を設けた布製のゲーム盤である。また本発明は、布製の台紙の面に、線で構成されるゲーム盤を付し、さらに前記ゲーム盤の線で構成される各マス目、または線と線の交点に連結手段を設けた布製のゲーム盤と、少なくとも片側に連結手段を設けた駒とから構成されるゲームセットである。
【発明の効果】
【０００８】
本発明により、折り畳みが可能で、ゲームの途中で中断しても、また中断した状態からゲームを再開できるゲーム盤、およびゲームセットを提供することが可能となる。また本発明により、折りたたんで持ち運びや収納が可能なゲーム盤、およびゲームセットを提供することが可能となる。
【発明を実施するための形態】
【０００９】
本発明の布製のゲーム盤は、布製の台紙の面に、ゲーム盤を付し、さらに前記ゲーム盤の各マス目、または線と線の交点に連結手段を設けたものである。
【００１０】
布製の台紙は、可撓性であればよく特に材質を問わない。ハンカチやスカーフの様なものを使用しても良いし、フエルトを使用しても良い。あるいは、二枚の布を袋状に縫い合わせたり接着したもの、二枚以上の布を重ねて縫い合わせたり接着したものを用いることもできる。
【００１１】
布製の台紙には、その表面または裏面、または両面にゲーム盤を付す。ゲーム盤は、プリントやペイント、または刺しゅう等公知の方法により付すことができる。台紙の材質や厚さ、構成により、好ましい方法を採用することができる。
【００１２】
ゲーム盤の各マス目、または線と線の交点には、ゲームの駒を連結するための連結手段を設ける。連結手段は、面ファスナーなどの係着部材、あるいはホックやスナップなどの係合部材とすることができる。面ファスナーやスナップを用いる場合、ゲーム盤上に雌材または雄材を、駒に雄材または雌材を設ける。将棋やオセロの様な駒を裏返して使用するゲームでは、駒の両面に連結手段を設けておく。
【００１３】
ゲームは、駒を盤の上に置いて遊ぶゲームであればどんなゲームでも良い。この様なゲームとしては例えば、将棋、オセロ、チェス、囲碁、五目ならべ、またはダイヤモンドゲームを挙げることができる。これらのうち、将棋、オセロ、チェス、囲碁、及び五目ならべは、いずれも格子状の盤を使用するため、最も格子の数が多い囲碁盤（１９×１９）を台紙に付し、各マス目と交点に連結手段を設けておけば、他のゲームにも使用できるマルチなゲーム盤となる。
【００１４】
布製のゲーム盤は、可撓性であるため折り畳んで収納したり持ち運んだりすることができる。また、連結手段によりゲーム盤の上にゲームの駒が固定されているため、ゲームを途中で中断しても、その後中断した状態からゲームを再開することができる。さらにゲーム盤を壁などに掛けてゲームを楽しむこともできる。また、ゲーム終了後に、駒を初期の状態に並べておけば、次にゲームをする際にすぐにゲームを始めることができる。
【００１５】
本発明の布製のゲーム盤と、ゲームの駒をセットにして、例えば、将棋セット、囲碁セット、チェスセットの様なゲームセットとすることもできる他、上述のマルチなゲーム盤に、将棋、チェス、囲碁、および五目ならべ等から選ばれる複数種の駒をセットにすることで、マルチゲームセットとすることもできる。
【００１６】
図１を参照しながら、布製の将棋盤１０について説明する。
【００１７】
フエルトの生地の表面に、９×９のマス目の将棋盤が印刷されている。各マス目には、連結手段１２として、裏面に粘着面のある面ファスナーの雌材を貼り付けて固定する。将棋の駒には、表面裏面の両方に、面ファスナーの雄材を貼り付けることで駒の裏側を使用する際にも駒をゲーム盤に固定することができる。
【００１８】
布製の囲碁盤の場合は、フエルトの生地の表面に、１９×１９のマス目の囲碁盤を印刷する。そして天元と星には黒のホックの雌材、他の交点には銀色のホックの雌材を貼り付けて固定する。碁石には、片面にホックの雄材を貼り付けて固定して使用する。
【図面の簡単な説明】
【００１９】
【図１】本発明の布製の将棋盤１０の図である。９×９のマス目のそれぞれに、連結手段１２（面ファスナーの雌材）が施してある。
【図１】
2019013629.tif 000003